(57)【要約】【課題】  複数種類の異なる長尺の記録媒体を共通の供給経路を介して記録部に供給して記録を行うプリンタにおいて、記録媒体のミスマッチを記録前に判定可能に構成し、以て誤った記録媒体への記録を未然に防止できるプリンタを提供すること。【解決手段】相互に種類が異なる長尺の記録媒体を共通の供給経路を介して記録部に供給して記録を行うプリンタであって、記録部に供給された記録媒体の種類を検出する検出手段と、検出手段により検出された記録媒体の種類とユーザにより指定された記録媒体の種類とを比較して両者の種類が一致するか否かを判定する判定手段と、判定手段により前記両者の種類が不一致であると判定された場合に、記録部に供給された記録媒体への記録を行わないように制御する制御手段とを有するので、誤った記録媒体への記録を未然に防止し得る。また、不一致をユーザに報知する報知手段を有するので、ユーザに適切な操作を促せる。【選択図】  図６
2005111674.tif 000002
【特許請求の範囲】
【請求項１】
相互に種類が異なる長尺の記録媒体を共通の供給経路を介して記録部に供給して記録を行う記録装置であって、
前記記録部に供給された記録媒体の種類を検出する検出手段と、
前記検出手段により検出された記録媒体の種類とユーザにより指定された記録媒体の種類とを比較して両者の種類が一致するか否かを判定する判定手段と、
前記判定手段により前記両者の種類が不一致であると判定された場合に、前記記録部に供給された記録媒体への記録を行わないように制御する制御手段と、を有することを特徴とする記録装置。
【請求項２】
更に、前記不一致の場合に、該不一致をユーザに報知する報知手段を有することを特徴とする請求項１に記載の記録装置。
【請求項３】
前記不一致の場合に、前記記録部に供給された記録媒体を所定のタイミングで前記供給経路の上流側に排出することを特徴とする請求項１又は２の何れか１項に記載の記録装置。
【請求項４】
更に、前記検出手段により検出された記録媒体の種類を記憶しておく記憶手段を有し、供給された記録媒体が前記記録部に残っている場合には、前記判定手段は、前記記憶手段に記憶された記録媒体の種類とユーザにより指定された記録媒体の種類とを比較して判定することを特徴とする請求項１又は２の何れか１項に記載の記録装置。
【請求項５】
前記記憶手段は不揮発性メモリにより構成され、電源がオフ状態を経て再度オン状態にある時に、前記記録媒体が前記記録部に残っている場合には、前記判定手段は、前記不揮発性メモリに記憶された記録媒体の種類とユーザにより指定された記録媒体の種類とを比較して判定することを特徴とする請求項４に記載の記録装置。
【発明の詳細な説明】
【技術分野】
【０００１】
本発明は、複数種類の異なる長尺の記録媒体を共通の供給経路を介して記録部に供給して記録を行う記録装置に関する。
【背景技術】
【０００２】
例えば、記録装置の１つであるシリアル方式のインクジェット式記録装置は、記録紙を搬送しつつキャリッジを紙送り方向と直交する方向である主走査方向に往復移動し、キャリッジに搭載された記録ヘッドから記録紙上にインクを吐出して記録する。かかるインクジェット式記録装置では、一般的に、記録ヘッド等の記録実行手段の副走査方向上流側に配設された給紙トレイ等に積み重ねられた普通紙等の単票状の記録紙を１枚づつ自動給紙する自動給紙装置（Ａｕｔｏ  Ｓｈｅｅｔ  Ｆｅｅｄｅｒ、以下、ＡＳＦという）を備えている。また、同様に、記録実行手段の副走査方向上流側に配設され、ロール状のロール紙を支持するロール紙ホルダを備え、上記のＡＳＦによる単票紙の供給経路とは別の供給経路にロール紙を手差しで給紙して記録可能とするものも多い。更に、最近では、厚紙やＣＤ（Ｃｏｍｐａｃｔ  Ｄｉｓｋ）等への記録を可能とするために、更に別の供給経路に記録ヘッド等の記録実行手段の副走査方向下流側から厚紙、或いはＣＤを載置したトレイ等を手差しで給紙して記録可能とするものもある。
【０００３】
かかるインクジェット式記録装置において、ユーザの指定した用紙種類と各供給経路より給紙された用紙種類が相違する場合には、ユーザにエラー（用紙ミスマッチ）を報知するのが一般的である。そして、ユーザの指定した用紙種類はプリンタドライバ等からの情報により、また、実際に給紙された用紙種類は各供給経路毎に検出手段を設けてどの供給経路から給紙されたかによって判定するようにしていた。
【０００４】
また、各供給経路毎に検出手段を設けることなく、検出手段は１つだけ設け、供給経路とキャリッジ等のレリース手段（或いは排紙トレイ）との位置関係を比較することにより用紙ミスマッチを判定する構成を有するインクジェット式記録装置もある（特許文献１参照）。
【０００５】
【特許文献１】特開２００３−１１２４５７号公報
【発明の開示】
【発明が解決しようとする課題】
【０００６】
最近では、デジタルカメラ等を用いて撮影した画像をインクジェット式記録装置を用いて写真記録し、アルバム等に編集するユーザも多い。かかるニーズに応えるため、例えばロール紙の供給経路に、更に、いわゆるフォトアルバム紙（後述するように、例えばＬ判写真の大きさの記録領域を長手方向に複数毎（例えば１２枚）の写真分連続して構成したインクジェット式記録装置用の長尺の専用紙であって、個々の記録領域の境目にミシン目を形成して折り畳み可能とし、個々の記録領域にデジタルカメラ等を用いて撮影した画像をそれぞれ記録し、記録後にミシン目に沿って折り重ね得るようにした記録媒体）を給紙して複数の画像を個々に且つ連続して記録可能とし、記録したフォトアルバム紙を折り重ねるだけで、簡単なアルバムが完成するようにしたインクジェット式記録装置も提案されている
しかしながら、例えばロール紙の供給経路に上述したフォトアルバム紙をも給紙可能とした構成では、ロール紙とフォトアルバム紙は同一の供給経路から給紙されるために、ロール紙にフォトアルバム紙の、フォトアルバム紙にロール紙の記録データを記録してしまう。
【０００７】
また、ロール紙に対する記録とフォトアルバム紙に対する記録ではページ終端部の記録シーケンスが相違するため、ロール紙でもフォトアルバム紙でも１枚分の記録を終了しないと用紙ミスマッチを判定できないという問題が残されている。
【０００８】
本発明の第一の目的は、複数種類の異なる長尺の記録媒体を共通の供給経路を介して記録部に供給して記録を行う記録装置において、記録媒体のミスマッチを記録前に判定可能に構成し、以て誤った記録媒体への記録を未然に防止できる記録装置を提供することにある。
【０００９】
本発明の第二の目的は、上記構成を有する記録装置において、上記記録媒体のミスマッチを適時にユーザに報知し得る記録装置を提供することにある。
【課題を解決するための手段】
【００１０】
上記第一の目的達成のため、本発明においては、相互に種類が異なる長尺の記録媒体を共通の供給経路を介して記録部に供給して記録を行う記録装置であって、記録部に供給された記録媒体の種類とユーザにより指定された記録媒体の種類とが一致するか否かを供給された記録媒体への記録開始前に判定し、両者が不一致の場合には、記録部に供給された記録媒体への記録を行わないようにした。
【００１１】
また、上記第二の目的達成のため、記録部に供給された記録媒体の種類とユーザにより指定された記録媒体の種類とが不一致の場合には、該不一致をユーザに報知するようにした。
【００１２】
即ち、本発明の記録装置は、相互に種類が異なる長尺の記録媒体を共通の供給経路を介して記録部に供給して記録を行う記録装置であって、前記記録部に供給された記録媒体の種類を検出する検出手段と、前記検出手段により検出された記録媒体の種類とユーザにより指定された記録媒体の種類とを比較して両者の種類が一致するか否かを判定する判定手段と、前記判定手段により前記両者の種類が不一致であると判定された場合に、前記記録部に供給された記録媒体への記録を行わないように制御する制御手段とを有することを特徴とする。
【００１３】
これにより、複数種類の異なる長尺の記録媒体を共通の供給経路に搬送して記録を行う記録装置において、記録部に供給された記録媒体の種類とユーザにより指定された記録媒体の種類とが一致しない場合でも、誤った記録媒体への記録を未然に防止することができる。
【００１４】
また、本発明の記録装置は、更に、前記不一致の場合に、該不一致をユーザに報知する報知手段を有することを特徴とする。
【００１５】
これにより、記録媒体の不一致をユーザに知らせることができ、ユーザに適切な操作を促すことができる。
【００１６】
また、本発明の記録装置は、前記不一致の場合に、前記記録部に供給された記録媒体を所定のタイミングで前記供給経路の上流側に排出することを特徴とする。
【００１７】
これにより、誤って記録部に供給された記録媒体を破損したり汚したりすることなく、再使用することができる。
【００１８】
また、本発明の記録装置は、更に、前記検出手段により検出された記録媒体の種類を記憶しておく記憶手段を有し、供給された記録媒体が前記記録部に残っている場合には、前記判定手段は、前記記憶手段に記憶された記録媒体の種類とユーザにより指定された記録媒体の種類とを比較して判定することを特徴とする。
【００１９】
これにより、長尺の記録媒体が供給されて記録部に残っている場合でも、改めて記録媒体の種類の検出を行うことなく、記録媒体の種類の比較判定が可能である。尚、長尺の記録媒体が「記録部に残っている場合」とは、供給された記録媒体の種類とユーザにより指定された記録媒体の種類とが一致しない場合のみならず、一致して正常にある単位の印刷を完了し、そのまま長尺の記録媒体が記録部に残っている場合をも含んでいる。
【００２０】
また、本発明の記録装置は、前記記憶手段は不揮発性メモリにより構成され、電源がオフ状態を経て再度オン状態にある時に、前記記録媒体が前記記録部に残っている場合には、前記判定手段は、前記不揮発性メモリに記憶された記録媒体の種類とユーザにより指定された記録媒体の種類とを比較して判定することを特徴とする。
【００２１】
これにより、例えば、不一致を報知されたユーザが、供給された記録媒体を記録部に残したまま、例えば、記録装置の電源を切った後、再起動した場合でも、誤った記録媒体への記録を未然に防止することができる。
【発明を実施するための最良の形態】
【００２２】
以下、本願発明の一実施の形態を図面に基づいて説明する。まず、本願発明に係る「記録装置」としてのインクジェット式プリンタの概略構成について説明する。
【００２３】
図１は、本発明の実施の形態に係るインクジェット式プリンタ５０の構成例を斜め前方から見た斜視図である。このインクジェット式プリンタは、プリンタ本体１０１のプリンタカバー１０２の下部に後述するインクジェット式プリンタヘッド（図示せず）、キャリッジ機構（図示せず）、紙送り機構（図示せず）等が配設されている。また、プリンタ本体１０１の前面には、本プリンタを操作するためのスイッチや本プリンタの状態を示すランプ等から成る操作パネル１０３、記録媒体の排紙口１０４（後述するようにＣＤ／ＤＶＤトレイや厚紙等の給紙口としても用いられる）、及び印刷されて排紙口１０４から出力された記録媒体を保持するための排紙トレイ１０５が設けられている。プリンタ本体１０１の後面には、上述したＡＳＦユニット１０６、ロール紙ホルダ５９及び給紙口１０８等が設けられている。さらに、プリンタ本体１０１の後面上部には、ＡＳＦ用の用紙サポート１０９が配設されている。尚、プリンタカバー１０２の下部の端部には、記録媒体の厚みに応じてペーパーギャップを切替え、また従動ローラの紙送りローラに対するニップ点等をレリースするための図示しないアジャストレバーが配設されている。
【００２４】
また、ＡＳＦユニット１０６に給紙される記録媒体は、例えば、ＡＳＦユニット１０６により自動的に送り出され、図示しない主動（紙送り）ローラと図示しない従動ローラのニップ点で挟持されて、更に、送り出され、排紙口１０４から排出されるようになっている。
【００２５】
ＡＳＦユニット１０６から供給される記録媒体としては、普通紙（単票紙）、専用紙、推奨ＯＨＰシート、光沢紙、光沢フィルム、ラベルシート、官製葉書等が利用できる。一方、ＣＤ／ＤＶＤトレイや厚紙等の給紙口としても用いられる排紙口１０４から供給される記録媒体としては、ＣＤ／ＤＶＤトレイやマットボード紙等の厚紙、極厚紙等の厚手のもの、すなわち折り曲げが困難なものを利用できる。
【００２６】
アジャストレバーは、ペーパーギャップの切替えや従動ローラの紙送りローラに対するニップ点等をレリース可能になっている。ここで、ペーパーギャップの切替えは、記録媒体の厚さに左右されずに印刷精度を常にほぼ一定の高精度に保つために、記録媒体の記録面とインクジェット式プリンタヘッドのノズル開口面との距離、すなわちペーパーギャップが常にほぼ一定になるようにインクジェット式プリンタヘッドを移動調整するものである。
【００２７】
従動ローラのレリースは、記録媒体を紙送りローラと従動ローラとの間に挟持し、あるいは記録媒体を紙送りローラと従動ローラとの間から抜き出すために、従動ローラに圧力を印加して従動ローラを紙送りローラに押圧し、あるいは上記圧力を解放して従動ローラを紙送りローラから離間（レリース）するものである。
【００２８】
ここで、図２を用いて、本実施形態のインクジェット式プリンタにおける排紙トレイ１０５の使用方法について説明しておく。排紙トレイ１０５は、ＡＳＦユニット１０６から供給されるＡ４、Ｌ判等の定形紙（単票紙）やロール紙ホルダ５９から供給されるロール紙又は給紙口１０８を介してロール紙と共通の供給経路に供給されるフォトアルバム紙（長尺紙）に印刷する際には、図２（ａ）に示すように、下段にセットした状態で使用する。一方、ＣＤ／ＤＶＤトレイや厚紙等に印刷する際には、図２（ｂ）に示すように、上段にセットし、給紙トレイとして使用する。
【００２９】
さて、本実施形態は、従来例に関して上述したロール紙の供給経路にフォトアルバム紙をも給紙可能とした構成を有する。
【００３０】
図３は、このようなフォトアルバム紙ＰＡＰの一例を示す図であり、図示の例は、Ｌ判写真の大きさの記録領域３０２を長手方向に複数毎（同図には６枚のみ示す）の写真分連続して構成したインクジェット式記録装置用の長尺の専用紙であって、個々の記録領域３０２の境目にミシン目３０４を形成して折り畳み可能とし、個々の記録領域３０２にデジタルカメラ等を用いて撮影した画像をそれぞれ記録し、記録後にミシン目３０４に沿って折り重ね得るようにした記録媒体であり、このフォトアルバム紙ＰＡＰを給紙して複数の画像を個々に且つ連続して記録可能とし、記録したフォトアルバム紙ＰＡＰを折り重ね、別途用意された表紙及び裏表紙に挟み込むだけで、簡単なアルバムが完成するようにしたものである。かかるフォトアルバム紙は、記録領域３０２を長手方向に複数毎連続して形成した全体として見れば、長尺の記録媒体としてロール紙と共通の性質を有するため、本実施形態においても、ロール紙と共通の供給経路から記録部に供給することとしている。
【００３１】
しかしながら、かかるフォトアルバム紙では、個々の記録領域３０２に写真等の画像を完結して記録する（換言すれば、ミシン目３０４を超えて次の記録領域３０２にはみ出さない）必要があるため、かかる必要のないロール紙とは異なった用紙（記録領域）端処理を必要とする。そこで、図３に示したフォトアルバム紙ＰＡＰでは、幅方向両端部にミシン目３０４に対応して切り欠き３０６を設け、用紙（記録領域）端検出の一手段としている。また、その長手方向の始端側と終端側にも幅方向両端に切り欠き３０８を設けるようにして、後述するように、フォトアルバム紙であることの検出の一手段としている。
【００３２】
このフォトアルバム紙とロール紙との用紙ミスマッチの判定については、後ほど詳述する。
【００３３】
図４は、本実施形態のインクジェット式プリンタの要部の平面構成を表す図、  図５は、その側面構成と共に紙送り制御部と記録媒体の供給経路との関係を表す図である。尚、図４及び図５においては、排紙トレイ１０５が図２（ａ）に示したように下段にセットした状態で使用される場合を想定して説明する。
【００３４】
図４及び図５に示すように、インクジェット式プリンタ５０には、記録媒体の記録面上を主走査方向Ｘに往復動しながら記録面にインクを吐出して記録を実行するインク吐出手段として、キャリッジガイド軸５１に軸支され、主走査方向Ｘに移動するキャリッジ６１が配設されている。キャリッジ６１には、記録媒体にインクを吐出する記録ヘッド６２が搭載されている。記録ヘッド６２と対向して、記録ヘッド６２のヘッド面６２ａと記録媒体との間隔を規定するプラテン５２が設けられている。そして、キャリッジ６１を主走査方向Ｘに搬送し、キャリッジ６１とプラテン５２の間に記録媒体を副走査方向Ｙに搬送しながら、記録ヘッド６２のヘッド面６２ａから記録媒体にインクを吐出することで記録媒体に記録が行われる。
【００３５】
さらに、インクジェット式プリンタ５０には、供給された記録媒体を副走査方向Ｙに間欠的に搬送する記録媒体搬送手段として、搬送駆動ローラ５３と搬送従動ローラ５４とが配設されている。搬送駆動ローラ５３は、回転駆動力源により回転制御され、搬送駆動ローラ５３の回転により、記録媒体は副走査方向Ｙに搬送される。搬送従動ローラ５４は複数設けられており、それぞれ個々に搬送駆動ローラ５３に付勢され、記録媒体が搬送駆動ローラ５３の回転により搬送される際に、記録媒体に接して記録媒体の搬送に従動して回転する。
【００３６】
また、搬送駆動ローラ５３の副走査方向Ｙの上流側には、紙検出器６３が配設されている。紙検出器６３は、立位姿勢への自己復帰習性が付与され、かつ記録紙搬送方向にのみ回動し得るよう記録媒体の供給経路内に突出する状態で枢支されたレバー部６３ａを有し、このレバー部６３ａの先端が記録媒体に押されることでレバー部６３ａが回動し、それによって記録媒体が検出される。
【００３７】
さらに、インクジェット式プリンタ５０には、記録媒体を排出する記録媒体排紙手段として、排紙駆動ローラ５５と排紙従動ローラ５６が配設されている。排紙駆動ローラ５５は、回転駆動力源により回転制御され、排紙駆動ローラ５５の回転により、記録媒体は副走査方向Ｙに排出される。排紙従動ローラ５６は、周囲に複数の歯を有し、各歯の先端が記録媒体の記録面に点接触するように鋭角的に尖っている歯付きローラとなっている。排紙従動ローラ５６は、それぞれ個々に排紙駆動ローラ５５に、前述の搬送従動ローラ５４の付勢力よりも弱い付勢力で付勢され、記録媒体が排紙駆動ローラ５５の回転により排出される際に、記録媒体に接して記録媒体の排出に従動して回転する。そして、記録媒体は、排紙駆動ローラ５５及び排紙従動ローラ５６により、副走査方向Ｙの下流側に配設され、前述したように下段にセットした状態で使用されている排紙トレイ１０５に排出される。
【００３８】
前述したように、インクジェット式プリンタ５０には、紙検出器６３と搬送従動ローラ５４と排紙従動ローラ５６を上方にレリースさせる、図示していないアジャストレバーが設けられている。このアジャストレバーを操作することによって、紙検出器６３と搬送従動ローラ５４と排紙従動ローラ５６をレリース状態にしたり、非レリース状態にしたりすることができる。
【００３９】
また、キャリッジ６１には、記録ヘッド６２のヘッド面と対向するプラテン５上の記録媒体の有無を検出可能なセンサ６４が配設されている。このセンサ６４にて、記録媒体が記録ヘッド６２のヘッド面６２ａの下にあるか否かを検出し、記録媒体が検出されないときはインクを吐出しないようにすることで、プラテン５２に直接インクを吐出してしまい、インクジェット式プリンタ５０の内部をインクで汚染してしまうことを防止することができる。
【００４０】
また、インクジェット式プリンタ５０には、ロール紙ＲＰ又は前述したフォトアルバム紙ＰＡＰを供給する供給経路としての第１の供給経路Ａが、紙検出器６３の副走査方向Ｙの上流側に、図示の如く設けられている。第１の供給経路Ａの副走査方向Ｙの上流側には、図示の如くロール紙ＲＰを軸支可能なロール紙ホルダ５９が配設されている。
【００４１】
さらに、インクジェット式プリンタ５０には、ＣＤ／ＤＶＤトレイＴＲやマットボード紙等の厚紙ＴＰ等厚みのある記録媒体を供給する供給経路としての第２の供給経路Ｂが、排紙駆動ローラ５５及び排紙従動ローラ５６の副走査方向Ｙの下流側に設けられている。第２の供給経路Ｂは、前述したように、排紙トレイ１０５を図２（ｂ）に示したように上段にセットした状態でＣＤ／ＤＶＤトレイＴＲや厚紙ＴＰ等の給紙トレイとして使用しつつ、図示の如く副走査方向Ｙの下流側から上流側に向けてＣＤ／ＤＶＤトレイＴＲや厚紙ＴＰ等を供給する構成になっている。
【００４２】
さらに、インクジェット式プリンタ５０には、紙検出器６３の副走査方向Ｙの上流側に、図示の如く第３の供給経路Ｃが設けられており、普通紙やフォト専用紙等の単票状の記録紙Ｐをこの第３の供給経路Ｃへ供給可能な構成を有する自動給紙手段としての上述したASFユニット１０６が配設されている。このASFユニット１０６は、略Ｄ型の横断面形状を有する給紙ローラ５７、及び図示していない分離パッド等を有している。この給紙ローラ５７の回転駆動力と分離パッドの摩擦抵抗によって、ASFユニット１０６は、給紙トレイ５８に積み重ねられた記録紙Ｐの最上位の記録紙Ｐを給紙する際に、複数の記録紙Ｐが一度に給紙されてしまうことなく、最上位の記録紙Ｐのみを正確に自動給紙することが可能となる。
【００４３】
そして、インクジェット式プリンタ５０は、上述した紙検出器６３、アジャストレバーの状態を検出し、ＡＳＦユニット１０６、搬送駆動ローラ５３及び排紙駆動ローラ５５等を制御する、ＣＰＵ、マイクロコンピュータ等で構成された制御装置としての紙送り制御部４００を備えており、この紙送り制御部４００によってインクジェット式プリンタ５０の紙送り制御が行われる。
【００４４】
また、紙送り制御部４００は、紙検出器６３等により検出された記録媒体の種類を記憶しておく記憶部４０１を有し、検出された記録媒体の種類とユーザにより指定された記録媒体の種類とが不一致であった場合、供給された記録媒体が記録部に残っている場合には、その後、この記憶部４０１に記憶された記録媒体の種類とユーザにより指定された記録媒体の種類とを比較して判定する。これにより、不一致を報知されたユーザが、供給された記録媒体を記録部に残したまま、例えば、インクジェット式プリンタ５０の電源を切った後、再起動した場合でも、誤った記録媒体への記録を未然に防止することができる。
【００４５】
図６は、本実施形態のインクジェット式プリンタ５０における記録媒体の供給経路判定とミスマッチの場合の処理を含む紙送り制御部４００の機能ブロック図である。
【００４６】
即ち、紙送り制御部４００は、Ｉ／Ｆ受信部４０２と、データ処理部４０４と、記録媒体パス判定部４０６と、ロール紙等判定部４０８と、給紙判定部４１０と、パネルスイッチ判定部４１２、記録処理部４１４、エラー処理部４１６を含んでいる。
【００４７】
Ｉ／Ｆ受信部４０２は、ホストコンピュータ２から送られてきたリモートコマンドとしての印刷命令データを受信する。データ処理部４０４は、Ｉ／Ｆ受信部４０２が受信した印刷命令データを処理・解釈し、そのうちＰＰコマンドを記録媒体パス判定部４０６に送ると共に、ＥＸコマンドをロール紙等判定部４０８に送る。記録媒体パス判定部４０６は、受けとったＰＰコマンドを解釈し、記録媒体のパスが、ロール紙ＲＰ又はフォトアルバム紙ＰＡＰを供給する第１の供給経路Ａ、ＣＤ／ＤＶＤトレイＴＲ等を供給する第２の供給経路Ｂ、ＡＳＦユニット１０６を介する第３の供給経路Ｃのいずれであるかを判定する。更に、ロール紙等判定部４０８は、記録媒体パス判定部４０６により記録媒体のパスがロール紙ＲＰ又はフォトアルバム紙ＰＡＰを供給する第１の供給経路Ａであると判定された場合に供給されたのがロール紙ＲＰであるか否かを判定する。給紙判定部４１０は、上述したセンサ６４等を用いて記録部に記録媒体が供給されているか否かを判定する。パネルスイッチ判定部４１２は、給紙判定部４１０により記録部に記録媒体が供給されていないと判定された場合に、操作パネル１０３の各種パネルスイッチのうち排紙ボタン（スイッチ）等が押されたことを判定する。記録処理部４１４は、供給された記録媒体とユーザにより指定された記録媒体の種類とが一致した場合、供給された記録媒体に対して当該記録媒体に対応した記録処理を実行する。エラー処理部４１６は、供給された記録媒体とユーザにより指定された記録媒体の種類とが不一致の場合、供給された記録媒体を排出し、ユーザに報知する等のエラー処理を実行する。
【００４８】
即ち、本発明の「記録装置」としてのインクジェット式プリンタ５０は、相互に種類が異なる「長尺の記録媒体」としてのロール紙ＲＰ及びフォトアルバム紙ＰＡＰを「共通の供給経路」としての第１の供給経路Ａを介して「記録部」に供給して記録を行う。そして、インクジェット式プリンタ５０は、紙送り制御部４００を有し、この紙送り制御部４００は、記録部に供給された記録媒体の種類を検出する「検出手段」としての記録媒体パス判定部４０６と、記録媒体パス判定部４０６により検出された記録媒体の種類とユーザにより指定された記録媒体の種類とを比較して両者の種類が一致するか否かを判定する「判定手段」としてのロール紙等判定部４０８と、ロール紙等判定部４０８により前記両者の種類が不一致であると判定された場合に、記録部に供給された記録媒体への記録を行わないように制御する「制御手段」としてのエラー処理部４１６とを含む。
【００４９】
これにより、複数種類の異なる「長尺の記録媒体」としてのロール紙ＲＰ及びフォトアルバム紙ＰＡＰを「共通の供給経路」としての第１の供給経路Ａを介して「記録部」に供給して記録を行う場合、例えば、記録部に供給された記録媒体の種類がフォトアルバム紙ＰＡＰであり、ユーザにより指定された記録媒体の種類がロール紙ＲＰであり、両者が一致しない場合（或いは以上と逆で両者が一致しない場合）でも、誤った記録媒体としてのフォトアルバム紙ＰＡＰ（或いは以上と逆の場合はロール紙ＲＰ）への記録を未然に防止することができる。
【００５０】
また、インクジェット式プリンタ５０は、更に、前記不一致の場合に、該不一致をユーザに報知する「報知手段」としてのエラー処理部４１６を有する。これにより、記録媒体の不一致をユーザに知らせることができ、ユーザに適切な操作を促すことができる。
【００５１】
また、インクジェット式プリンタ５０は、前記不一致の場合に、記録部に供給された記録媒体を所定のタイミング、例えば、ユーザの排出操作を受けて「共通の供給経路」としての第１の供給経路Ａの上流側に排出する。これにより、誤って記録部に供給された記録媒体を破損したり汚したりすることなく、再使用することができる。
【００５２】
図７は、インクジェット式プリンタ５０の要部の側面構成を表す図であり、排紙トレイ１０５を図２（ｂ）に示したように上段にセットした状態で給紙トレイとして使用しつつ、副走査方向Ｙの下流側から上流側に向けてＣＤ／ＤＶＤトレイＴＲを第２の供給経路Ｂから挿入した状態を示したものである。ＣＤ／ＤＶＤトレイＴＲに所望の印刷を実行しようとするユーザは、まず、ＣＤ／ＤＶＤトレイＴＲを第２の供給経路Ｂに挿入する前に、アジャストレバーによって、搬送従動ローラ５４、排紙従動ローラ５６、キャリッジ６１、及び紙検出器６３を符号Ｅで示した方向にレリースさせる。次に、その状態で、ＣＤ／ＤＶＤトレイＴＲを第２の供給経路Ｂに、その先端が紙検出器６３より副走査方向Ｙの上流側の所定位置に到達するまで挿入する。そして、レリース状態のアジャストレバーを非レリース状態に戻すと、搬送従動ローラ５４、排紙従動ローラ５６、キャリッジ６１、及び紙検出器６３は、符号Ｆで示した方向に下降する。ＣＤ／ＤＶＤトレイＴＲは、搬送駆動ローラ５３と搬送従動ローラ５４との間、及び排紙駆動ローラ５５と排紙従動ローラ５６との間に挟持された状態となる。また、記録ヘッド６２のヘッド面６２ａとＣＤ／ＤＶＤトレイＴＲの記録面との間隔も規定の間隔となり、紙検出器６３のレバー部６３ａは、ＣＤ／ＤＶＤトレイＴＲに押されて符号Ｄの矢印で示した方向に回動した状態となる。
【００５３】
この状態において、紙検出器６３に記録媒体として検出されたＣＤ／ＤＶＤトレイＴＲは、アジャストレバーのレリース動作後に紙検出器６３に検出されるので、記録媒体、すなわちＣＤ／ＤＶＤトレイＴＲは、紙送り制御部４００において、第２の供給経路Ｂから供給された記録媒体であると判定される。そして、当該実施の形態においては、第２の供給経路Ｂから供給される記録媒体は、ＣＤ／ＤＶＤトレイＴＲ等の厚みのある記録媒体のみとなっているので、この記録媒体は、紙送り制御部４００において、ＣＤ／ＤＶＤトレイＴＲ等の厚みのある記録媒体であると判定される。
【００５４】
そして、紙送り制御部４００は、供給された記録媒体、すなわちＣＤ／ＤＶＤトレイＴＲに対してＣＤ／ＤＶＤトレイ等の厚みのある記録媒体に対応した紙送り制御を実行する。また、供給後のＣＤ／ＤＶＤトレイＴＲが、手で引き抜かれたりした場合には、センサ６４でＣＤ／ＤＶＤトレイＴＲが検出されない状態となる。そのような状態になった場合には、そのまま記録を実行することができないので、紙送り制御部４００は、エラーメッセージを出力して、ＣＤ／ＤＶＤトレイＴＲが正常に供給されていない状態をユーザに報知する。
【００５５】
次に、インクジェット式プリンタ５０において、第１の供給経路Ａ、第２の供給経路Ｂ、及び第３の供給経路Ｃ、それぞれの供給経路から記録媒体を供給した際の供給経路判定手順について図面を参照しながら説明する。  図８は、インクジェット式プリンタ５０の要部側面図であり、第３の供給経路Ｃから記録紙Ｐを供給した状態を示したものである。
【００５６】
給紙ローラ５７を回転させることによって、給紙トレイ５８に置かれた単票状の記録媒体としての記録紙Ｐは、その記録紙Ｐの始端が搬送駆動ローラ５３と搬送従動ローラ５４とのニップ面Ｎに当接するまで搬送される。そして、紙検出器６３のレバー部６３ａは、給紙ローラ５７が回転して記録紙Ｐを副走査方向Ｙに搬送している間に、その記録紙Ｐの始端に押動されて符号Ｄの矢印で示した方向に回動し、記録紙Ｐは、給紙ローラ５７の回転中に記録媒体として紙検出器６３に検出される。
【００５７】
この状態において、紙検出器６３に記録媒体として検出された記録紙Ｐは、給紙ローラ５７の回転中に紙検出器６３に検出されるので、記録媒体、すなわち記録紙Ｐは、紙送り制御部４００において、第３の供給経路Ｃから供給された記録媒体であると判定される。そして、当該実施の形態においては、第３の供給経路Ｃから供給される記録媒体は、単票状の記録紙Ｐのみとなっているので、この記録媒体は、紙送り制御部４００において、単票状の記録紙Ｐであると判定される。したがって、紙送り制御部４００は、供給された記録媒体、すなわち記録紙Ｐに対して単票状の記録媒体に対応した紙送り制御を実行する。
【００５８】
また、給紙後の記録紙Ｐが、手で引き抜かれたりした場合には、センサ６４で記録紙Ｐが検出されない状態となる。そのような状態になった場合には、そのまま記録を実行することができないので、紙送り制御部４００は、エラーメッセージを出力して、ユーザに記録紙Ｐが正常に給紙されていないことを報知する。
【００５９】
つづいて、上述した供給経路判定手順について、フローチャートを参照しながら説明する。図９は、本実施形態に係る供給経路判定手順を示したフローチャートであり、供給された記録媒体が、第１の供給経路Ａと第２の供給経路Ｂと、どちらの供給経路から供給されたかを判定する手順を示したものである。
【００６０】
インクジェット式プリンタ５０のアイドル状態から、まず、上述したアジャストレバーによるレリース動作がない状態で、紙検出器６３が記録媒体を検出しているか否かを判定する（ステップＳ１）。紙検出器６３が記録媒体を検出していれば（ステップＳ１でＹｅｓ）、第１の供給経路Ａからロール紙ＲＰ又はフォトアルバム紙ＰＡＰが給紙されたと判定し、後述するロール紙等紙送り制御に移行する（ステップＳ２）。
【００６１】
紙検出器６３が記録媒体を検出していなければ（ステップＳ１でＮｏ）、次に、アジャストレバーによるレリース状態を判定する（ステップＳ３）。レリース状態でなければ（ステップＳ３でＮｏ）、ステップＳ１の手順に戻る。一方、レリース状態であれば（ステップＳ３でＹｅｓ）、つづいて、レリース状態から非レリース状態に戻ったか否かを判定する（ステップＳ４）。レリース状態のままであれば（ステップＳ４でＹｅｓ）、再びステップＳ４の手順にてレリース状態を判定する。
【００６２】
非レリース状態に戻った状態であれば（ステップＳ４でＮｏ）、つづいて、紙検出器６３が記録媒体を検出しているか否かを判定する（ステップＳ５）。紙検出器６３が記録媒体を検出していなければ（ステップＳ５でＮｏ）、ステップＳ１の手順に戻る。紙検出器６３が記録媒体を検出していれば（ステップＳ５でＹｅｓ）、第２の供給経路ＢからＣＤ／ＤＶＤトレイＴＲ等の厚みのある記録媒体が供給されたと判定し、厚紙等紙送り制御に移行してＣＤ／ＤＶＤ用トレイＴＲ等の厚みのある記録媒体に対する紙送り制御を実行する（ステップＳ６）。
【００６３】
図１０は、本実施形態に係る供給経路判定手順を示したフローチャートであり、供給された記録媒体が、第１の供給経路Ａと第２の供給経路Ｂと第３の供給経路Ｃと、どの供給経路から供給されたかを判定する手順を示したものである。
【００６４】
インクジェット式プリンタ５０のアイドル状態から、まず、上述したアジャストレバーによるレリース動作がない状態で、紙検出器６３が記録媒体を検出しているか否かを判定する（ステップＳ１１）。紙検出器６３が記録媒体を検出していれば（ステップＳ１１でＹｅｓ）、つづいて、その時点で給紙ローラ５７が回転しているか否かを判定する（ステップＳ１２）。給紙ローラ５７が回転していなければ（ステップＳ１２でＮｏ）、第１の供給経路Ａからロール紙ＲＰ又はフォトアルバム紙ＰＡＰが供給されたと判定し、後述するロール紙等紙送り制御に移行する（ステップＳ１７）。給紙ローラ５７が回転していれば（ステップＳ１２でＹｅｓ）、第３の供給経路Ｃから自動給紙装置によって記録紙Ｐが供給されたと判定し、単票紙等紙送り制御に移行して記録紙Ｐに対する紙送り制御を実行する（ステップＳ１８）。
【００６５】
一方、紙検出器６３が記録媒体を検出していなければ（ステップＳ１１でＮｏ）、つづいて、ステップＳ１３の手順に移行する。尚、ステップＳ１３〜ステップＳ１６に示した手順は、図９に示したステップＳ３〜ステップＳ６と同様の手順なので説明は省略する。
【００６６】
尚、上記実施の形態に示した供給経路判定手順は、上記示したように、ソフトウェア・プログラムとして構成し、このソフトウェア・プログラムを紙送り制御部４００内に設けられたＣＰＵ、マイクロコンピュータ等で構成された制御装置が実行することにより実現することもできるし、紙送り制御部４００内に設けられたハードウェア回路で構成された制御装置によって実現することもできる。このように、当該実施の形態に示した第１の供給経路Ａと第２の供給経路Ｂと第３の供給経路Ｃとの３つの供給経路を有するインクジェット式プリンタ５０は、供給経路毎に紙検出器６３を配設することなく１つの紙検出器６３で、どの供給経路から記録媒体が供給されたかを判定することができる。
【００６７】
図１１は、インクジェット式プリンタ５０の要部側面図であり、第１の供給経路Ａからロール紙ＲＰ又はフォトアルバム紙ＰＡＰを給紙した状態を示したものである。
【００６８】
ロール紙ＲＰ又はフォトアルバム紙ＰＡＰの始端が搬送駆動ローラ５３と搬送従動ローラ５４とのニップ面Ｎに当接するまで、第１の供給経路Ａにロール紙ＲＰ又はフォトアルバム紙ＰＡＰを給紙する。具体的には手差しでロール紙ＲＰ又はフォトアルバム紙ＰＡＰを第１の供給経路Ａに挿入する。それによって、紙検出器６３のレバー部６３ａが、図示の如く符号Ｄの矢印で示した方向に回動し、記録媒体としてロール紙ＲＰ又はフォトアルバム紙ＰＡＰが検出される。
【００６９】
この状態において、紙検出器６３に記録媒体として検出されたロール紙ＲＰ又はフォトアルバム紙ＰＡＰは、第１のレリース手段によるレリース動作がない状態で紙検出器６３に検出されるので、記録媒体、すなわちロール紙ＲＰ又はフォトアルバム紙ＰＡＰは、紙送り制御部４００において、第１の供給経路Ａから給紙された記録媒体であると判定される。当該実施の形態においては、第１の供給経路Ａから供給される記録媒体は、ロール紙ＲＰ又はフォトアルバム紙ＰＡＰのみとなっているので、この記録媒体は、紙送り制御部４００において、ロール紙ＲＰ又はフォトアルバム紙ＰＡＰであると判定される。
【００７０】
尚、ロール紙ＲＰ又はフォトアルバム紙ＰＡＰが、第１のレリース手段によるレリース動作がない状態で紙検出器６３に検出された後に、所定の時間経過した時点で、紙検出器６３によって検出された記録媒体は、第１の供給経路Ａから供給された記録媒体であると判定するようにするのが、瞬間的な紙検出器６３の検出等による誤検出を防止できるので好ましく、当該実施の形態においては、その所定時間は、約２秒に設定されている。
【００７１】
さて、本実施形態では、記録媒体パス判定部４０６により記録媒体のパスがロール紙／フォトアルバム紙であると判定された場合に、ロール紙／フォトアルバム紙の給紙シーケンスにより、供給された記録媒体がロール紙であるかフォトアルバム紙であるかを判定する。そこで、以下、ロール紙／フォトアルバム紙の給紙シーケンスを図１２を参照して説明する。
【００７２】
まず、図１２に示すように、給紙された用紙の先端を検出する。即ち、用紙の先端を検出できたか否かを判断し（ステップＳ５０１）、できなかった場合（ステップＳ５０１でＮｏ）には、紙ジャム等が生じたことに起因する給紙エラーとしてエラー処理を行う。用紙の先端を検出できた場合（ステップＳ５０１でＹｅｓ）には、切り欠きの有無を検出する。即ち、切り欠きを検出できたか否かを判断し（ステップＳ５０２）、できなかった場合（ステップＳ５０２でＮｏ）には、ロール紙であると判断し、紙送り制御部４００は、供給された記録媒体、すなわちロール紙ＲＰに対してロール紙に対応した紙送り制御を実行する。一方、切り欠きを検出できた場合（ステップＳ５０２でＹｅｓ）には、フォトアルバム紙であると判断し、紙送り制御部４００は、供給された記録媒体、すなわちフォトアルバム紙ＰＡＰに対してフォトアルバム紙に対応した紙送り制御を実行する。
【００７３】
尚、本実施の形態においては、上述したように、記録部に供給された記録媒体の種類とユーザにより指定された記録媒体の種類が不一致であると判定された場合に、記録部に供給された記録媒体への記録を行わずに、エラー処理を実行する。これにより、複数種類の異なる「長尺の記録媒体」としてのロール紙ＲＰ及びフォトアルバム紙ＰＡＰを「共通の供給経路」としての第１の供給経路Ａを介して「記録部」に供給して記録を行う場合、例えば、記録部に供給された記録媒体の種類がフォトアルバム紙ＰＡＰであり、ユーザにより指定された記録媒体の種類がロール紙ＲＰであり、両者が一致しない場合（或いは以上と逆で両者が一致しない場合）でも、誤った記録媒体としてのフォトアルバム紙ＰＡＰ（或いは以上と逆の場合はロール紙ＲＰ）への記録を未然に防止することができる。
【００７４】
また、本実施の形態においては、更に、記録部に供給された記録媒体の種類とユーザにより指定された記録媒体の種類が不一致の場合に、エラー処理部４１６がエラー処理の一内容として用紙ミスマッチをユーザに報知する。報知方法は、例えば、図１に示したプリンタ本体１０１の前面に設けた操作パネル１０３内のエラー表示ランプを点滅する等により行う。これにより、記録媒体の不一致をユーザに知らせることができ、例えば、操作パネル１０３内の排紙ボタンを押す等、ユーザに適切な操作を促すことができる。
【００７５】
また、本実施の形態においては、エラー処理部４１６は、記録媒体の不一致の場合に、記録部に供給された記録媒体をユーザの排出操作、例えば、操作パネル１０３内の排紙ボタンを押す等、に基づき「共通の供給経路」としての第１の供給経路Ａの上流側に排出する。これにより、誤って記録部に供給された記録媒体を破損したり汚したりすることなく、再使用することができる。
【００７６】
さて、紙検出器６３がロール紙ＲＰ又はフォトアルバム紙ＰＡＰを検出した状態で、所定時間、当該実施の形態においては、約２秒間経過した後に、搬送駆動ローラ５３を所定の搬送量の回転量だけ回転させて、ロール紙ＲＰ又はフォトアルバム紙ＰＡＰの始端が記録開始位置に位置するまで搬送する。ロール紙ＲＰ又はフォトアルバム紙ＰＡＰの始端が記録開始位置まで正常に搬送された時点で、紙送り制御部４００は、供給された記録媒体、すなわちロール紙ＲＰ又はフォトアルバム紙ＰＡＰに対してロール紙又はフォトアルバム紙に対応した紙送り制御を実行する。
【００７７】
尚、その際に、ロール紙ＲＰ又はフォトアルバム紙ＰＡＰの始端が搬送駆動ローラ５３と搬送従動ローラ５４とのニップ面Ｎに喰い付かず、搬送駆動ローラ５３が空回りしてロール紙ＲＰ又はフォトアルバム紙ＰＡＰが正常に搬送されなかった場合には、センサ６４でロール紙ＲＰ又はフォトアルバム紙ＰＡＰが検出されない状態となる。そのような状態になった場合には、そのまま記録を実行することができないので、紙送り制御部４００は、紙詰まりとしてエラーメッセージを出力して、ユーザにロール紙ＲＰ又はフォトアルバム紙ＰＡＰが正常に記録開始位置まで搬送されなかったことを報知する。
【００７８】
尚、本願発明は上記実施例に限定されることなく、特許請求の範囲に記載した発明の範囲内で、種々の変形が可能であり、それらも本願発明の範囲内に含まれるものであることは言うまでもない。
【００７９】
例えば、上記実施例では、記録部に供給された記録媒体を所定のタイミング、即ち、ユーザの排出操作を受けて第１の供給経路Ａの上流側に排出したが、制御手段が所定のタイミングで自動的に排出動作をさせるようにしても良い。
【産業上の利用可能性】
【００８０】
プリンタとしてインクジェット式プリンタを例に説明したが、複数種類の異なる長尺の記録媒体を共通の供給経路を介して記録部に供給して記録を行うプリンタであれば、インパクトドットプリンタ、熱転写プリンタ等の他のプリンタのみならず、コピー機等の他の全てのプリンタにも適用することができる。
【図面の簡単な説明】
【００８１】
【図１】本発明の実施の形態に係るインクジェット式プリンタの構成例を斜め前方から見た斜視図
【図２】本実施形態のインクジェット式プリンタにおける排紙トレイの使用方法について説明するための図
【図３】フォトアルバム紙の一例を示す図
【図４】本実施形態のインクジェット式プリンタの要部の平面構成を表す図
【図５】本実施形態のインクジェット式プリンタの側面構成と共に紙送り制御部と記録媒体の供給経路との関係を表す図
【図６】本実施形態のインクジェット式プリンタのプリンタコントローラにおける記録媒体の供給経路判定とミスマッチの場合の処理を含む紙送り制御部の機能ブロック図
【図７】本実施形態のインクジェット式プリンタの要部の側面構成を表す図であり、排紙トレイを図２（ｂ）に示したように上段にセットした状態で給紙トレイとして使用しつつ、副走査方向Ｙの下流側から上流側に向けてＣＤ／ＤＶＤトレイＴＲを第２の供給経路Ｂから挿入した状態を示す
【図８】本実施形態のインクジェット式プリンタの要部側面図であり、第３の供給経路Ｃから記録紙Ｐを供給した状態を示す
【図９】本実施形態のインクジェット式プリンタに係る供給経路判定手順を示したフローチャートであり、供給された記録媒体が、第１の供給経路Ａと第２の供給経路Ｂと、どちらの供給経路から供給されたかを判定する手順を示す
【図１０】本実施形態のインクジェット式プリンタに係る供給経路判定手順を示したフローチャートであり、供給された記録媒体が、第１の供給経路Ａと第２の供給経路Ｂと第３の供給経路Ｃと、どの供給経路から供給されたかを判定する手順を示す
【図１１】本実施形態のインクジェット式プリンタの要部側面図であり、第１の供給経路Ａからロール紙ＲＰ又はフォトアルバム紙ＰＡＰを給紙した状態を示す
【図１２】本実施形態のインクジェット式プリンタに係るロール紙／フォトアルバム紙の給紙シーケンスを示したフローチャート
【符号の説明】
【００８２】
５０  インクジェット式プリンタ、    ５１  キャリッジガイド軸、  ５２  プラテン、  ５３  搬送駆動ローラ、  ５４  搬送従動ローラ、
５５  排紙駆動ローラ、  ５６  排紙従動ローラ、  ５９  ロール紙ホルダ、    ６１  キャリッジ、  ６２  記録ヘッド、  ６２ａ  ヘッド面、
６３  紙検出器、  ６３ａ  レバー部、  ６４  センサ、  １０１  プリンタ本体、    １０２  プリンタカバー、    １０３  操作パネル、  １０４  排紙口、  １０５  排紙トレイ、  １０６  ＡＳＦユニット、  １０８  給紙口、    １０９  用紙サポート、  ３０２  記録領域、
３０４  ミシン目、  ３０６  切り欠き、  ３０８  切り欠き、  ＲＰ  ロール紙、    ＰＡＰ  フォトアルバム紙、  ＴＲ  ＣＤ／ＤＶＤトレイ、
ＴＰ  厚紙、  Ａ  第１の供給経路、  Ｂ  第２の供給経路、  Ｃ  第３の供給経路、  ４００    紙送り制御部、  ４０２  Ｉ／Ｆ受信部、
４０４  データ処理部、  ４０６  記録媒体パス判定部、  ４０８  ロール紙等判定部、  ４１０  給紙判定部、  ４１２  パネルスイッチ判定部、
４１４  記録処理部、  ４１６  エラー処理部
【図１】
2005111674.tif 000003
【図２】
2005111674.tif 000004
【図３】
2005111674.tif 000005
【図４】
2005111674.tif 000006
【図５】
2005111674.tif 000007
【図６】
2005111674.tif 000008
【図７】
2005111674.tif 000009
【図８】
2005111674.tif 000010
【図９】
2005111674.tif 000011
【図１０】
2005111674.tif 000012
【図１１】
2005111674.tif 000013
【図１２】
2005111674.tif 000014